(57)【要約】    【課題】  上水汚泥からの回収凝集剤を用いて下水、食品系廃水等における懸濁物質を凝集・沈澱処理して、ＣＯＤ、窒素、燐といった物質や農薬等の化学物質を除去する凝集・沈澱処理方法を提供すること。    【解決手段】  原水中の懸濁物質を凝集・沈澱処理して清澄な上水を得る凝集・沈澱処理プロセスから発生する汚泥に硫酸等による酸処理を施して得られる回収凝集剤を用いて、下水、食品系廃水、廃棄物処分場内水等における懸濁物質の凝集・沈澱処理又は浮上処理をｐＨ：５以上の領域で行う上水汚泥からの回収凝集剤による下水、食品系廃水等の凝集・沈澱処理又は浮上処理方法。【選択図】  図４
2006297238.tif 000002
【特許請求の範囲】
【請求項１】
原水中の懸濁物質を凝集・沈澱処理して清澄な上水を得る凝集・沈澱処理プロセスから発生する汚泥に硫酸等による酸処理を施して得られる回収凝集剤を用いて、下水、食品系廃水、廃棄物処分場内水等における懸濁物質の凝集・沈澱処理又は浮上処理をｐＨ：５以上の領域で行うことを特徴とする上水汚泥からの回収凝集剤による下水、食品系廃水等の凝集・沈澱処理方法。
【発明の詳細な説明】
【技術分野】
【０００１】
本発明は、原水中の懸濁物質を凝集・沈澱処理して清澄な上水を得るプロセスから発生する汚泥（以下、上水汚泥と称する。）に酸を加え撹拌して得られる回収凝集剤を用いる、下水、食品系廃水等における懸濁物質を凝集・沈澱処理或は浮上処理する方法に関する。
【背景技術】
【０００２】
従来、原水中の懸濁物質を凝集・沈澱させて清澄な上水を得るべく、凝集剤として硫酸バンド（礬土）やＰＡＣ（ポリ塩化アルミニウム：poly aluminum chloride）を用いて懸濁物質を凝結させるとともに凝集フロックを成長、沈澱させ、沈澱した汚泥を回収して処理するかあるいは土壌改良材等として利用することがなされている。
【０００３】
一方、原水中の懸濁物質の凝集・沈澱プロセスにおいて発生する汚泥に硫酸、塩酸といった鉱酸を添加・撹拌しｐＨ：３〜４として、汚泥に含まれる水酸化アルミニウムをＡｌ３＋やアルミニウムのポリイオン等にイオン化してこれを凝集剤として再利用することが提案されている（たとえば、特許文献１参照）。
【特許文献１】特開平０２−１５７００５号公報
【０００４】
処で、原水中の懸濁物質の凝集・沈澱プロセスにおいて発生する上水汚泥は、前記凝集・沈澱プロセスにおける処理対象が比較的清浄な環境水であるために、汚濁成分や有害成分が少なく、凝集剤の回収、再利用にとって好ましい。
【発明の開示】
【発明が解決しようとする課題】
【０００５】
上記特許文献１に開示されているように、原水中の懸濁物質の凝集・沈澱プロセスにおいて発生する汚泥に硫酸、塩酸といった鉱酸を添加・撹拌して凝集剤を回収する方法は既知である。しかしながら、上水汚泥からの回収凝集剤を用いて下水、食品系廃水等における懸濁物質の凝集・沈澱を行い、窒素、燐といった「あおこ」多量発生の原因となる栄養塩類を除去する手段は提案されていない。
【０００６】
本発明は、原水中の懸濁物質を凝集・沈澱処理して清澄な上水を得るプロセスから発生する上水汚泥に酸を加え撹拌して得られる回収凝集剤を用いて、下水、食品系廃水等における懸濁物質を凝集・沈澱処理して、ＣＯＤ、窒素、燐といった物質や農薬等の化学物質を除去する凝集・沈澱処理方法を提供することを目的とする。
【課題を解決するための手段】
【０００７】
上記課題を解決するための本発明は、原水中の懸濁物質を凝集・沈澱処理して清澄な上水を得る凝集・沈澱処理プロセスから発生する汚泥に硫酸等を添加、撹拌してｐＨ：３〜５として得られる回収凝集剤を用いて、下水、食品系廃水、廃棄物処分場内水等における懸濁物質の凝集・沈澱処理をｐＨ：５以上の領域で行うことを特徴とする上水汚泥からの回収凝集剤による下水、食品系廃水等の凝集・沈澱処理方法または浮上処理する方法である。
【発明の効果】
【０００８】
本発明によれば、たとえば下水処理場流入水を凝集・沈澱処理対象とする場合、ＣＯＤの約６７％、全窒素（Ｔ−Ｎ）の約３０％、全燐（Ｔ−Ｐ）の約９９％を除去することができる。このように、特に燐の除去効果に優れている。これらは、硫酸バンド（礬土）やＰＡＣ（何れも新規購入品）を上回る効果である。
【０００９】
また、本発明によるときは、農薬類をはじめ諸種の化学物質の除去効果にも優れている。
【発明を実施するための最良の形態】
【００１０】
本発明は、上水汚泥に硫酸、塩酸といった鉱酸を添加して撹拌し、ｐＨ：３〜５好ましくはｐＨ：３〜４として上水汚泥中のＡｌ（ＯＨ）３をＡｌ３＋やアルミニウムのポリイオン等にイオン化した上澄みを回収し、この上澄み液を凝集剤として下水、食品系廃水等における懸濁物質、化学物質の凝集・沈澱処理或いは浮上処理に再利用するものである。
【００１１】
上水汚泥からの凝集剤回収条件については、上水汚泥：２ｇ〜１０ｇ（湿）を精製水５０ｍＬに分散させ、１．８Ｎ硫酸で滴定してｐＨの変化から適正凝集剤回収条件を定めた。上水汚泥（湿）の量２ｇ、５ｇ、１０ｇの３水準をパラメータとして、１．８Ｎの硫酸で滴定したときの滴定硫酸量（ｍＬ）とｐＨの関係を図１に示す。図１から明らかなように、滴定硫酸量：３ｍＬ以上でｐＨは３．０〜４．０の範囲でほぼ一定している。本発明においては、硫酸バンドおよびＰＡＣのｐＨ規格が各々３．０以上、３．５〜５．０であることに鑑み、回収凝集剤のｐＨを３．０〜５．０の範囲とした。
【００１２】
次に、上水汚泥からの回収凝集剤を用いての、廃棄物処分場内水における懸濁物質の凝集・沈澱処理を行うときのｐＨ条件について説明する。処理対象とした廃棄物処分場内水は、Ｋ市の海面埋立て廃棄物処分場内水（ｐＨ：７．５、ＣＯＤ：１７．０ｍｇ／Ｌ〜２３．５ｍｇ／Ｌ、全窒素（Ｔ−Ｎ）：５．７ｍｇ／Ｌ〜７．２ｍｇ／Ｌ、全燐（Ｔ−Ｐ）：０．１１ｍｇ／Ｌである。発明者らは、この海面埋立て廃棄物処分場内水を処理対象とし上水汚泥からの回収凝集剤量を１０ｍＬ／Ｌとして、懸濁物質の凝集・沈澱処理におけるｐＨ条件を調べた。
【００１３】
回収凝集剤（液）は、ｐＨ：３．３、Ａｌ：５，８００ｍｇ／Ｌ、ＣＯＤ：９７４ｍｇ／Ｌ、全窒素（Ｔ−Ｎ）：６０．０ｍｇ／Ｌ、および全燐（Ｔ−Ｐ）：１４６ｍｇ／Ｌで、回収凝集剤自身、海面埋立て廃棄物処分場内水に比し高濃度のＣＯＤやＴ−Ｎ、Ｔ−Ｐを含んでおり、図２に示すように、Ｔ−Ｎの除去率に対するｐＨの影響は明確ではなかったが、Ｔ−Ｐの除去率は、ｐＨ：５以上で顕著に向上している。
【実施例１】
【００１４】
上記Ｋ市の海面埋立て廃棄物処分場内水およびＫ市下水処理場流入水（ｐＨ：７．５、ＣＯＤ：４４．０ｍｇ／Ｌ〜７９．６ｍｇ／Ｌ、全窒素（Ｔ−Ｎ）：３１．４ｍｇ／Ｌ〜３３．０ｍｇ／Ｌ、全燐（Ｔ−Ｐ）：２．７ｍｇ／Ｌ〜３．２９ｍｇ／Ｌ）における懸濁物質を、上水汚泥からの回収凝集剤によって凝集・沈澱処理した。
【００１５】
（凝集・沈澱処理における調査項目）
ｐＨ、ＣＯＤ、Ｔ−Ｎ、Ｔ−Ｐ、農薬類等、汚泥沈降速度、および汚泥濾過速度について調べた。農薬類等については、有機塩素系農薬１２種類、有機燐系農薬２１種類、カルバメート系農薬９種類、含窒素系農薬５７種類、ピレスロイド系農薬８種類、その他の農薬５種類、および農薬の分解物５種類の計１１７種類を対象とした。
【００１６】
（試薬）
硫酸バンドは林純薬工業（株）特級品を、ＰＡＣはＫ市浄水場で使用しているもの（Ａｌ２Ｏ３として１２．０％）を用いた。農薬類等標準品は、林純薬工業（株）、和光純薬工業（株）、Ｒｉｅｄｅｌ−ｄｅ Ｈａёｎ社およびDr.Ehrenstorfer社製の農薬分析用標準品等を用いた。それぞれの農薬はアセトン、トルエンまたはメチルアルコールで溶解して１，０００ｍｇ／Ｌの標準原液を作製し、この標準原液をアセトンまたはメタノールで適宜希釈し、混合標準液を調製した。有機溶媒は、和光純薬工業（株）または関東化学（株）製の残留農薬分析用を用いた。塩化ナトリウムおよび無水硫酸ナトリウムは、市販特級品を７００℃で６時間加熱処理したものを用いた。その他の試薬は市販特級品を用いた。精製水は、日本ミリポア（株）製Milli-QSP超純水装置による精製水を用いた。
【００１７】
（装置）
ジャーテスターは宮本理研工業（株）製Water Cohesion Reaction Tester JT-6Dを用いた。Ｔ−Ｎ計は東京化成工業（株）製TCI-NOX  １０００、GASTORR GT-１０２、VISIBLE DETECTOR S-３２５０およびAUTO SAMPLER SS-３６００を、分光光度計は（株）日立製作所製Ｕ―２０００Ａを用いた、ＧＣ／ＭＳ（ガスクロマトグラフィー／質量分析）装置はヒューレットパッカード社製５８９０ Series Plus／日本電子（株）製Automass system を用いた。
【００１８】
（分析方法）
ｐＨ、ＣＯＤ、Ｔ−Ｎ、およびＴ−ＰはＪＩＳ  Ｋ０１０２に規定される方法で測定した。農薬類等は、被検水２００ｍＬを取り、塩化ナトリウム８０ｇを加えてジクロロメタン５０ｍＬで２回抽出し、無水硫酸ナトリウムで脱水、濃縮後、メチルアルコールで全量を２ｍＬとしてＧＣ／ＭＳ法によって測定した。
【００１９】
回収凝集剤を用いての廃棄物処分場内水、下水処理場流入水を対象（試料水）とする、懸濁物の凝集・沈澱処理を以下のようにして行った。即ち、試料水１Ｌをビーカーに取り、ジャーテスターを用いて、１５０ｒｐｍで１分間撹拌後１５分間静置、および５０ｒｐｍで１０分間撹拌後１５分間静置し、然る後、１μｍＧＦＰ(glass filter paper)で濾過した濾液について、上記各項目を測定した。
【００２０】
農薬類等の凝集・沈澱処理は、５Ｌの共栓付三角フラスコに各５ｍｇ／Ｌの混合標準液４０ｍＬを入れ、有機溶媒を除去した後下水処理場流入水４Ｌを加えて十分撹拌したものを試料水（各０．０５ｍｇ／Ｌ添加）として行った。
【００２１】
なお、上水汚泥からの回収凝集剤と硫酸バンドやＰＡＣとの凝集・沈澱処理効果の比較は、ｐＨを６．０に設定しまた、農薬類等の凝集・沈澱処理効果は下水処理場流入水を用いてｐＨを６．０に設定し、回収凝集剤量０．１ｍＬ／Ｌおよび２ｍＬ／Ｌ、硫酸バンド量５ｍｇ／Ｌおよび５０ｍｇ／Ｌ、ＰＡＣ量５ｍｇ／Ｌおよび５０ｍｇ／Ｌで行った。
【００２２】
上水汚泥からの凝集剤回収過程における汚泥の沈降速度を、以下のようにして調べた。即ち、上水汚泥１０ｇ（湿）に精製水５０ｍＬ〜８０ｍＬを加えて分散させ、次いで硫酸を加えてｐＨ：３．３とした後１００ｍＬ共栓付メスシリンダーに移し精製水で全量を１００ｍＬとした後、１５回強振、続いて１５回弱振し、静置して界面位置の経時変化を調べた。また、静置１時間後に上澄み液３０ｍＬ〜６２ｍＬ（限界量）を分取した残留液に水酸化ナトリウムを加えてｐＨ：７．０に調整し、精製水で全量を１００ｍＬとした後１５回強振、続いて１５回弱振し、同様に沈降速度を調べた。
【００２３】
上水汚泥からの凝集剤回収過程における汚泥の濾過速度を、以下のようにして調べた。即ち、沈降速度試験後の汚泥分散液をＰＹＲＥＸ（登録商標）６０ロート（漏斗）（上部径：１０ｃｍ、高さ：９ｃｍ、管の長さ：１０ｃｍ、８条の溝付）にＮｏ．５Ａ濾紙（径：１８．５ｃｍ）を敷いて濾過し、濾過液量の経時変化を調べた。
【００２４】
上水汚泥からの回収凝集剤を用いての、廃棄物処分場内水および下水処理場流入水における懸濁物質の凝集・沈澱処理効果を調べた。その際、硫酸バンド及びＰＡＣとの比較を行った。図３に、廃棄物処分場内水を処理対象としたときの懸濁物質の凝集・沈澱処理効果を示す。図３から明らかなように、上水汚泥からの回収凝集剤を用いる場合、回収凝集剤２ｍＬ／ＬでＣＯＤが１０．６％、回収凝集剤１０ｍＬ／ＬでＴ−Ｎが１５．１％、回収凝集剤０．５ｍＬ／ＬでＴ−Ｐが５４．１％の最大除去率を示し、Ｔ−ＮおよびＴ−Ｐは硫酸バンドの最大除去率を上回った。回収凝集剤中に存在するＣＯＤやＴ−Ｎ、Ｔ−Ｐをも考慮した実質的な最大除去率は、それぞれ２８．２％、２１．５％、９６．５％と硫酸バンドの最大除去率をさらに上回っており、回収凝集剤に含まれている有機物質等の作用も加わって除去効果が増したものと考えられる。わけても、Ｔ−Ｐの除去効果が顕著である。
【００２５】
次に、下水処理場流入水を処理対象としたときの、懸濁物質の凝集・沈澱処理効果を調べた。その結果を図４に示す。また、懸濁物質の最大除去率を表１に示す。
【００２６】
【表１】
2006297238.tif 000003
【００２７】
上水汚泥からの回収凝集剤を用いる場合、回収凝集剤５ｍＬ／Ｌで最大除去率は、ＣＯＤが６６．８％、Ｔ−Ｎが２９．９％、Ｔ−Ｐが９８．９％であり、硫酸バンド及びＰＡＣのそれを上回った。廃棄物処分場内水を処理対象とする場合に比し、ＳＳや有機物、栄養塩類を多く含む下水処理場流入水の場合、回収凝集剤中の有機物質等の作用がより大きく現れた。
【実施例２】
【００２８】
水道法水質管理目標設定農薬および使用されている農薬を含めた農薬類１１２種類と農薬分解物５種類の計１１７種類について、上水汚泥からの回収凝集剤による除去効果ならびに硫酸バンド及びＰＡＣによる除去効果を調べた。
【００２９】
十分な除去率が得られると考えられる、回収凝集剤量：２ｍＬ／Ｌ、硫酸バンド量：５０ｍｇ／Ｌ、ＰＡＣ量：５０ｍｇ／Ｌのときの農薬の種類別および農薬分解物の除去効果を、図５乃至図１１に示す。有機塩素系農薬１２種類の除去率は１３．１％〜１００％で、ｏ，ｐ’−ＤＤＤ：８９．３％〜９０．４％、ｐ，ｐ’−ＤＤＥ：９４．２％〜１００％、エンドリン：５２．９％〜５５．７％、アルドリン：１００％、ディルドリン：７２．４％〜７９．３％、ヘプタクロル：８４．６％〜１００％、およびヘプタクロルオキシド：６６．６％〜６８．８％の７種類が除去率５０％以上と、比較的除去されやすい。
【００３０】
有機燐系農薬２１種類の除去率は１０．８％〜１００％であった。除去率が高かったのは、ＥＰＮ：６８．３％〜６９．２％、クロルピリホス：６９．１％〜７１．３％およびプロチオホス：８４．８％〜８６．１％であった。また、カルバメート系農薬９種類の除去率は、５．１％〜６７．７％であった。除去率が高かったのは、ピリブチカルブ：６５．９％〜６７．７％の１種類であった。
含窒素系農薬５７種類の除去率は０％〜１００％であった。除去率が高かったのは、クロルフェナピル：７１．３％〜７２．７％、シハロホップブチル：６１．３％〜６４．８％、ジフェノコナゾール：６９．６％〜１００％、トリフルラリン：８０．３％〜８４．２％、ビデルタノール：５１．２％〜５５．７％、ピリダベン：８５．８％〜８６．３％、ピリプロキシフェン：６６．４％〜６７．８％、ペンシクロン：８０．１％〜８５．０％、およびペントキサゾン：５８．５％〜５９．７％の９種類に過ぎず、これらの農薬は凝集・沈澱処理で除去され難い。
【００３１】
一方、ピレスロイド系農薬８種類の除去率は８８．４％〜１００％と、すべての農薬で高かった。その他の農薬５種類および農薬分解物５種類の除去率はそれぞれ５．５％〜１００％、０％〜１００％で、除去率が高かったのは、ハルフェンプロックス：８９．０％〜１００％、メトプレン：６４．３％〜１００％、およびクロルスルフロン分解物：１００％であった。
【００３２】
上水汚泥からの回収凝集剤の除去率が硫酸バンドやＰＡＣよりも高かったのは、有機塩素系農薬では１２種類中９種類（０％〜１７．７％高い）、有機燐系農薬では２１種類中１３種類（０．８％〜７８．１％高い）、カルバメート系農薬では９種類中９種類（１．３％〜２１．５％高い）含窒素系農薬では５７種類中４５種類（０％〜６７．０％高い）、ピレスロイド系農薬では８種類中２種類（０％〜１０．８％高い）、その他の農薬では５種類中５種類（０％〜３５．７％高い）、農薬分解物では５種類中４種類（０．２％〜４１．９％高い）と、ＣＯＤやＴ−Ｎ、Ｔ−Ｐと同様に多くの農薬類等で除去効果が硫酸バンドやＰＡＣを上回った。
【実施例３】
【００３３】
上水汚泥に硫酸等を加えて撹拌し、ｐＨ：３．０〜４．０として凝集剤を濾過・回収する場合、汚泥分離性が悪くなりまた、濾過機を傷める可能性がある。そこで、実際には、浄水処理での汚泥脱水前にｐＨ調整槽を設け、ｐＨ：３．０〜４．０の上澄み液（回収凝集剤）抽出→中和（ｐＨ：７．０へ）→汚泥脱水を行う。その場合の汚泥分離性を調べた。
【００３４】
酸性上澄み液（ｐＨ：３．０〜４．０の回収凝集剤）を３０ｍＬ〜６２ｍＬ取り除き、残部をｐＨ：７．０に中和した後の汚泥の沈降速度および濾過速度を、図１２に示す。沈降速度は、元の上水汚泥や硫酸添加、撹拌による酸性状態のときよりもはるかに遅くなり、酸性上澄み液の取り除き量が少ないほど遅くなった。しかし、濾過速度はそれほど遅くはなく、硫酸添加、撹拌による酸性状態で濾過するよりも速くなった。フィルタープレス等の濾過脱水であれば問題ないと思われる。
【００３５】
ｐＨ調整槽において、上水汚泥分散液に硫酸を加えて酸性とし凝集剤を回収する場合、汚濁成分や栄養塩類等も同時に上水汚泥から分離し、凝集剤回収後の残部を中和しても沈降分離できない部分が生じて、高濃度の汚濁成分や栄養塩類等を含む汚泥脱水廃液を出しかねない。そこで、上水汚泥１０ｇ（湿）を精製水で１００ｍＬとし（固形分約３．１％）、凝集剤液を３０ｍＬ〜６２ｍＬ（限界量）回収した場合の中和後の汚泥脱水液の水質を調べた。
【００３６】
ＣＯＤ、Ｔ−Ｎ、およびＴ−Ｐについて、上水汚泥を単に精製水で分散した場合との比較を、図１３に示す。固液分離限界である６２ｍＬおよび５０ｍＬの凝集剤液を回収除去した場合、上水汚泥を単に精製水で分散したときのＣＯＤが３．４倍および４．８倍、Ｔ−Ｐが２．６倍および２．８倍に上昇したが、Ｔ−Ｎはあまり変わらなかった。環境への負荷を少なくするために、できる限り凝集剤液を多く回収した方がよい。下水道処理区域にある浄水場では、下水道に排出しても問題ない濃度である。
【産業上の利用可能性】
【００３７】
本発明は、下水、食品系廃水等における懸濁物質の凝集・沈澱処理のほか、あらゆる廃水の凝集沈澱処理および浮上処理に用いることができる。また、農薬類等の化学物質の除去にも用いることができる。
【図面の簡単な説明】
【００３８】
【図１】上水汚泥（湿）の量を２ｇ、５ｇ、１０ｇの３水準をパラメータとして、１．８Ｎの硫酸で滴定したときの滴定硫酸量（ｍＬ）とｐＨの関係を示すグラフ
【図２】廃棄物処分場内水を対象として、上水汚泥からの回収凝集剤を用いて懸濁物質の凝集・沈澱処理を行ったときの、ＣＯＤ、Ｔ−Ｎ、Ｔ−Ｐの除去率とｐＨの関係を示すグラフ
【図３】廃棄物処分場内水を対象として、上水汚泥からの回収凝集剤を用いて懸濁物質の凝集・沈澱処理を行ったときの、ＣＯＤ、Ｔ−Ｎ、Ｔ−Ｐの除去率と凝集剤の量との関係を、硫酸バンドと対比して示すグラフ
【図４】下水処理場流入水を対象として、上水汚泥からの回収凝集剤を用い、ｐＨを６として懸濁物質の凝集・沈澱処理を行ったときの、ＣＯＤ、Ｔ−Ｎ、Ｔ−Ｐの除去率と凝集剤の量との関係を、硫酸バンド及びＰＡＣと対比して示すグラフ
【図５】下水処理場流入水を対象として、上水汚泥からの回収凝集剤を用い、ｐＨを６として懸濁物質の凝集・沈澱処理を行ったときの、有機塩素系農薬類の除去効果を示すグラフ
【図６】下水処理場流入水を対象として、上水汚泥からの回収凝集剤を用い、ｐＨを６として懸濁物質の凝集・沈澱処理を行ったときの、有機燐系農薬類の除去効果を示すグラフ
【図７】下水処理場流入水を対象として、上水汚泥からの回収凝集剤を用い、ｐＨを６として懸濁物質の凝集・沈澱処理を行ったときの、カルバメート系農薬類の除去効果を示すグラフ
【図８】下水処理場流入水を対象として、上水汚泥からの回収凝集剤を用い、ｐＨを６として懸濁物質の凝集・沈澱処理を行ったときの、含窒素系農薬類の除去効果を示すグラフ
【図９】下水処理場流入水を対象として、上水汚泥からの回収凝集剤を用い、ｐＨを６として懸濁物質の凝集・沈澱処理を行ったときの、ピレスロイド系農薬類の除去効果を示すグラフ
【図１０】下水処理場流入水を対象として、上水汚泥からの回収凝集剤を用い、ｐＨを６として懸濁物質の凝集・沈澱処理を行ったときの、その他の農薬類の除去効果を示すグラフ
【図１１】下水処理場流入水を対象として、上水汚泥からの回収凝集剤を用い、ｐＨを６として懸濁物質の凝集・沈澱処理を行ったときの、農薬分解物の除去効果を示すグラフ
【図１２】上水汚泥から凝集剤を回収するプロセスにおいて硫酸上澄み液（回収凝集剤）を抽出し、ｐＨ：７．０に中和後汚泥脱水を行うときの汚泥分離性（汚泥沈降速度および濾過速度）を示すグラフ
【図１３】上水汚泥から凝集剤を回収するプロセスにおいて硫酸上澄み液（回収凝集剤）を抽出し、ｐＨ：７．０に中和後の汚泥脱水液の水質を示すグラフ
【図１】
2006297238.tif 000004
【図２】
2006297238.tif 000005
【図３】
2006297238.tif 000006
【図４】
2006297238.tif 000007
【図５】
2006297238.tif 000008
【図６】
2006297238.tif 000009
【図７】
2006297238.tif 000010
【図８】
2006297238.tif 000011
【図９】
2006297238.tif 000012
【図１０】
2006297238.tif 000013
【図１１】
2006297238.tif 000014
【図１２】
2006297238.tif 000015
【図１３】
2006297238.tif 000016